(57)【要約】【課題】銃身を通過するときに受ける抵抗を小さくすることが可能な小火器用弾丸の提供を目的とする。【解決手段】小火器用弾丸１０は、弾心１１の外側が被甲２１で覆われてなる。被甲２１には、小火器用弾丸１０において外径が最大となる部位を構成し、且つ、小火器用弾丸１０の軸方向に延在する最大外径筒部３１が少なくとも１つ設けられている。全ての最大外径筒部３１は、小火器用弾丸１０の軸方向の全域に亘って弾心１１との間に環状の隙間３２を有している。【選択図】図１
2018123985.tif 000002
【特許請求の範囲】
【請求項１】
弾心の外側が被甲で覆われた小火器用弾丸において、
前記被甲には、前記小火器用弾丸において外径が最大となる部位を構成し、且つ、前記小火器用弾丸の軸方向に延在する最大外径筒部が少なくとも１つ設けられ、
全ての前記最大外径筒部は、前記小火器用弾丸の軸方向の全域に亘って前記弾心との間に環状の隙間を有している。
【請求項２】
請求項１に記載の小火器用弾丸において、
前記弾心は、前記小火器用弾丸の軸方向に直線状に延びる弾心ストレート部と、前記弾心ストレート部から弾頭側に延設されると共に先細りとなった弾心頭部と、前記弾心ストレート部から弾尾側に延設されると共に弾尾側で縮径される円錐台形状の弾心尾部と、で構成され、
前記被甲は、前記小火器用弾丸の軸方向に延びた直筒状の被甲ストレート部と、前記被甲ストレート部から弾頭側に延設されて前記弾心頭部に対応した先細り形状をなす被甲頭部と、前記被甲ストレート部から弾尾側に延設されて前記弾心弾尾に対応した円錐台形状をなす被甲尾部と、で構成され、
前記被甲頭部が前記弾心頭部と嵌合し、前記被甲尾部が前記弾心尾部と嵌合することにより、前記被甲が前記弾心を保持する一方、前記被甲ストレート部は、前記小火器用弾丸の軸方向全体に亘って前記弾心ストレート部との間に環状の隙間を有し、
前記被甲ストレート部に全ての前記最大外径筒部が設けられている。
【請求項３】
請求項１に記載の小火器用弾丸において、
前記弾心は、前記小火器用弾丸の軸方向に直線状に延びる弾心ストレート部と、前記弾心ストレート部から弾頭側に延設されると共に先細りとなった弾心頭部と、前記弾心ストレート部から弾尾側に延設されると共に弾尾側で縮径された円錐台形状をなす弾心尾部と、で構成され、
前記被甲は、前記小火器用弾丸の軸方向に延びた直筒状の被甲ストレート部と、前記被甲ストレート部から弾頭側に延設されて前記弾心頭部に対応した先細り形状をなす被甲頭部と、前記被甲ストレート部から弾尾側に延設されて前記弾心尾部に対応した円錐台形状をなす被甲尾部と、で構成され、
前記被甲ストレート部には、周方向全体に亘って前記弾心側に陥没してなる括れ部が形成され、
前記被甲頭部が前記弾心頭部と嵌合し、前記被甲尾部が前記弾心尾部と嵌合し、前記括れ部が前記弾心ストレート部と嵌合することにより、前記被甲が前記弾心を保持する一方、前記被甲ストレート部のうち前記括れ部を除く部位は、前記小火器用弾丸の軸方向全体に亘って前記弾心ストレート部との間に環状の隙間を有し、
前記被甲ストレート部のうち前記括れ部を除く部位に全ての前記最大外径筒部が設けられている。
【請求項４】
請求項３に記載の小火器用弾丸において、
前記弾心は、第１弾心構成体と、前記第１弾心構成体とは異なる部材で構成された第２弾心構成体と、が前記小火器用弾丸の軸方向に並べられて構成されている。
【請求項５】
請求項２乃至４のうち何れか１の請求項に記載の小火器用弾丸において、
前記弾心ストレート部の軸長は前記被甲ストレート部の軸長よりも長くなっていて、
前記被甲尾部の前記被甲ストレート部側の端部が前記弾心ストレート部との間に環状の隙間を有すると共に、前記被甲頭部の前記被甲ストレート部側の端部が前記弾心ストレート部との間に環状の隙間を有している。
【発明の詳細な説明】
【技術分野】
【０００１】
本発明は、弾心の外側が被甲で覆われた小火器用弾丸に関する。
【背景技術】
【０００２】
特許文献１には、被甲の最大外径部位の内周面に形成された環状の突起が弾心と当接する小火器用弾丸が示されている。
【先行技術文献】
【特許文献】
【０００３】
【特許文献１】特許第５２４４０１０号公報（段落［００１８］、図１）
【発明の概要】
【発明が解決しようとする課題】
【０００４】
しかしながら、特許文献１の小火器用弾丸では、被甲の最大外径部位のうち環状の突起が設けられた部分は内側に変形することができないため、小火器用弾丸が銃身を通過するときに受ける抵抗が大きくなり、銃腔内圧が高くなって銃身が破損するという問題が起こり得た。
【０００５】
本発明は、上記事情に鑑みてなされたもので、銃身を通過するときに受ける抵抗を小さくすることが可能な小火器用弾丸の提供を目的とする。
【課題を解決するための手段】
【０００６】
上記目的を達成するためになされた請求項１の発明は、弾心の外側が被甲で覆われた小火器用弾丸において、前記被甲には、前記小火器用弾丸において外径が最大となる部位を構成し、且つ、前記小火器用弾丸の軸方向に延在する最大外径筒部が少なくとも１つ設けられ、全ての前記最大外径筒部は、前記小火器用弾丸の軸方向の全域に亘って前記弾心との間に環状の隙間を有している。
【０００７】
請求項２の発明は、請求項１に記載の小火器用弾丸において、前記弾心は、前記小火器用弾丸の軸方向に直線状に延びる弾心ストレート部と、前記弾心ストレート部から弾頭側に延設されると共に先細りとなった弾心頭部と、前記弾心ストレート部から弾尾側に延設されると共に弾尾側で縮径される円錐台形状の弾心尾部と、で構成され、前記被甲は、前記小火器用弾丸の軸方向に延びた直筒状の被甲ストレート部と、前記被甲ストレート部から弾頭側に延設されて前記弾心頭部に対応した先細り形状をなす被甲頭部と、前記被甲ストレート部から弾尾側に延設されて前記弾心弾尾に対応した円錐台形状をなす被甲尾部と、で構成され、前記被甲頭部が前記弾心頭部と嵌合し、前記被甲尾部が前記弾心尾部と嵌合することにより、前記被甲が前記弾心を保持する一方、前記被甲ストレート部は、前記小火器用弾丸の軸方向全体に亘って前記弾心ストレート部との間に環状の隙間を有し、前記被甲ストレート部に全ての前記最大外径筒部が設けられている。
【０００８】
請求項３の発明は、請求項１に記載の小火器用弾丸において、前記弾心は、前記小火器用弾丸の軸方向に直線状に延びる弾心ストレート部と、前記弾心ストレート部から弾頭側に延設されると共に先細りとなった弾心頭部と、前記弾心ストレート部から弾尾側に延設されると共に弾尾側で縮径された円錐台形状をなす弾心尾部と、で構成され、前記被甲は、前記小火器用弾丸の軸方向に延びた直筒状の被甲ストレート部と、前記被甲ストレート部から弾頭側に延設されて前記弾心頭部に対応した先細り形状をなす被甲頭部と、前記被甲ストレート部から弾尾側に延設されて前記弾心尾部に対応した円錐台形状をなす被甲尾部と、で構成され、前記被甲ストレート部には、周方向全体に亘って前記弾心側に陥没してなる括れ部が形成され、前記被甲頭部が前記弾心頭部と嵌合し、前記被甲尾部が前記弾心尾部と嵌合し、前記括れ部が前記弾心ストレート部と嵌合することにより、前記被甲が前記弾心を保持する一方、前記被甲ストレート部のうち前記括れ部を除く部位は、前記小火器用弾丸の軸方向全体に亘って前記弾心ストレート部との間に環状の隙間を有し、前記被甲ストレート部のうち前記括れ部を除く部位に全ての前記最大外径筒部が設けられている。
【０００９】
請求項４の発明は、請求項３に記載の小火器用弾丸において、前記弾心は、第１弾心構成体と、前記第１弾心構成体とは異なる材料で構成された第２弾心構成体と、が前記小火器用弾丸の軸方向に並べられて構成されている。
【００１０】
請求項５の発明は、請求項２乃至４のうち何れか１の請求項に記載の小火器用弾丸において、前記弾心ストレート部の軸長は前記被甲ストレート部の軸長よりも長くなっていて、前記被甲尾部の前記被甲ストレート部側の端部が前記弾心ストレート部との間に環状の隙間を有すると共に、前記被甲頭部の前記被甲ストレート部側の端部が前記弾心ストレート部との間に環状の隙間を有している。
【発明の効果】
【００１１】
［請求項１の発明］
請求項１の発明によれば、全ての最大外径筒部が小火器用弾丸の軸方向全体に亘って小火器用弾丸の中心軸側に変形することが可能となる。これにより、小火器用弾丸が銃腔を通過するときに受ける抵抗を小さくすることが可能となる。
【００１２】
［請求項２〜４の発明］
請求項２の発明では、被甲頭部が弾心頭部と嵌合し、被甲尾部が弾心尾部と嵌合することで、被甲が弾心を保持するので、弾心の固定の安定化を図ることが可能となる。
【００１３】
また、請求項３の発明では、被甲頭部と弾心頭部の嵌合及び被甲尾部と弾心尾部の嵌合に加えて、括れ部と弾心ストレート部の嵌合によっても、弾心を保持することができるので、弾心の固定の更なる安定化を図ることが可能となる。
【００１４】
特に、請求項４の発明のように、弾心が２つの構成体（第１弾心構成体と第２弾心構成体）で構成される場合には、請求項３の発明のように、被甲頭部と被甲尾部と括れ部の３箇所で弾心を保持することが好ましい。
【００１５】
［請求項５の発明］
請求項５の発明では、最大外径部筒部に、被甲尾部における被甲ストレート部側の端部、及び、被甲頭部における被甲ストレート部側の端部が含まれる場合に、最大外径筒部が小火器用弾丸の中心軸側に変形し易くなり、小火器用弾丸が銃腔を通過するときに受ける抵抗を一層小さくすることが可能となる。
【図面の簡単な説明】
【００１６】
【図１】第１実施形態に係る小火器用弾丸の一部破断側面図
【図２】（Ａ）被甲頭部周辺の断面図、（Ｂ）被甲尾部周辺の断面図
【図３】小火器用弾丸が銃身を通過する過程を示す断面図
【図４】小火器用弾丸が銃身を通過する過程を示す断面図
【図５】小火器用弾丸の製造工程を示す断面図
【図６】第２実施形態に係る小火器用弾丸の一部破断側面図
【図７】小火器用弾丸の製造工程を示す断面図
【図８】第３実施形態に係る小火器用弾丸の一部破断側面図
【図９】他の実施形態に係る小火器用弾丸の側断面図
【図１０】他の実施形態に係る小火器用弾丸の側断面図
【図１１】他の実施形態に係る小火器用弾丸の側断面図
【図１２】他の実施形態に係る小火器用弾丸の側断面図
【発明を実施するための形態】
【００１７】
［第１実施形態］
以下、本発明の第１実施形態を図面に基づいて説明する。図１に示されるように、本実施形態の小火器用弾丸１０（以下、単に「弾丸１０」という。）は、弾心１１の外側を被甲２１で覆ってなる。弾丸１０の弾頭１０Ａは先細り状に形成され、弾丸１０の弾尾１０Ｂは弾頭１０Ａから離れるに従って縮径される円錐台形状に形成されている。被甲２１は、弾頭１０Ａ側が閉塞される一方、弾尾１０Ｂ側が開放した容器状に形成されている。なお、以下では、弾丸１０における弾頭１０Ａ側を「前側」と、弾尾１０Ｂ側を「後側」と、適宜、呼ぶことにする。
【００１８】
弾心１１は、弾丸１０の中心軸Ｊ１に沿って直線状に延びる弾心ストレート部１２と、弾心ストレート部１２から弾頭１０Ａ側に延設された弾心頭部１３と、弾心ストレート部１２から弾尾１０Ｂ側に延設された弾心尾部１４と、で構成されている。また、被甲２１は、弾丸１０の中心軸Ｊ１に沿って延びる直筒状の被甲ストレート部２２と、被甲ストレート部２２から弾頭１０Ａ側に延設された被甲頭部２３と、被甲ストレート部２２から弾尾１０Ｂ側に延設された被甲尾部２４と、で構成されている。
【００１９】
弾心頭部１３は、前側に向かうに従って（弾心ストレート部１２から離れるに従って）縮径される先細り形状に形成され、被甲頭部２３は、弾心頭部１３に対応した先細り形状に形成されている。また、弾心尾部１４は、後側へ向かうに従って（弾心ストレート部１２から離れるに従って）縮径される円錐台形状に形成され、被甲尾部２４は、弾心尾部１４に対応した円錐台形状に形成されている。そして、被甲頭部２３が弾心頭部１３と嵌合し、被甲尾部２４が弾心尾部１４と嵌合することにより、被甲２１が弾心１１を保持している。
【００２０】
なお、詳細には、弾心頭部１３の前端面１３Ｆは平坦であるのに対し、被甲頭部２３の内面は先端が尖った形状になっている。そして、被甲頭部２３は、弾心頭部１３の前端面１３Ｆとの間に前端隙間２３Ｓを有している。また、被甲尾部２４は、弾心尾部１４と嵌合する嵌合筒壁２４Ａと、弾心尾部１４の後面の外周部に宛がわれて弾心１１を抜け止めする抜止壁２４Ｂと、で構成されている。
【００２１】
図１に示されるように、被甲ストレート部２２は、弾丸１０において外径が最大となる部位を構成する。即ち、本実施形態の弾丸１０では、被甲ストレート部２２の全体が本発明の最大外径筒部３１を構成する。
【００２２】
被甲ストレート部２２の内径は、弾心１１（詳細には、弾心ストレート部１２）の外径よりも大きくなっていて、被甲ストレート部２２は、弾丸１０の軸方向全域に亘って、弾心１１との間に環状の隙間３２を有している。
【００２３】
図２（Ａ）及び図２（Ｂ）に示されるように、弾心ストレート部１２の軸長は、被甲ストレート部２２の軸長よりも長くなっている。そして、図２（Ａ）に示されるように、被甲頭部２３の後端部（被甲ストレート部２２側の端部）は、弾心１１（詳細には、弾心ストレート部１２）との間に環状の隙間３３を有している。また、図２（Ｂ）に示されるように、被甲尾部２４の前端部（被甲ストレート部２２側の端部）は、弾心１１（詳細には、弾心ストレート部１２）との間に環状の隙間３４を有している。
【００２４】
図３，４には、銃身７０を通過するときの弾丸１０が示されている。図３，４の例では、弾丸１０は、薬莢４２の前端筒部４２Ａに嵌合されて弾薬４１の一部を構成する。銃身７０には、薬莢４２に前側から連絡する銃腔７１が形成されている。詳細には、銃腔７１は、薬莢４２と連絡すると共に前側へ向かうに従って縮径される誘導部７２と、誘導部７２に前側から連絡したストレート部７３と、を備えている。ストレート部７３の内径は、弾丸１０の最大外径よりも若干小さくなっている。
【００２５】
図３は、弾丸１０が発射されて、弾丸１０の前端部が銃腔７１のストレート部７３に突入しているところを示す。ここで、弾丸１０の最大外径部位において被甲２１と弾心１１との間が詰まっていると、弾丸１０が縮径され難くなり、弾丸１０が銃身７０を通過するときに受ける抵抗が大きくなる。その結果、銃腔７１の内圧が高くなって銃腔７１に被甲２１を構成する材料が付着しやすくなるという問題が起こり得る。しかしながら、本実施形態では、図３から図４への変化に示されるように、最大外径筒部３１（被甲ストレート部２２）が銃身７０を通過するときに、被甲２１の最大外径筒部３１と弾心１１との間に環状の隙間３１が形成されているので、弾丸１０（詳細には、被甲２２の最大外径筒部３１）が内側に変形することができる。これにより、弾丸１０が銃身７０を通過するときに受ける抵抗が小さくなり、銃腔７１に被甲２１を構成する材料が付着しやすくなるという問題が生じることを抑えることができる。
【００２６】
次に、弾丸１０の製造方法について説明する。弾丸１０が製造されるには、まず、図５（Ａ）に示されるように、弾心１１と、被甲２１を形成するための弾心受容体５１とが準備される。弾心受容体５１は、一端が閉塞された筒状構造になっていて、直筒部５２と、直筒部５２の一端から延設された尖り部５３と、で構成されている。直筒部５２の内径は、弾心１１の外径より若干大きくなっている。なお、直筒部５２は被甲ストレート部２２より長く形成され、尖り部５３は被甲頭部２３と同形状に形成されている。
【００２７】
次いで、図５（Ａ）の矢印で示されるように、弾心頭部１３側から弾心１１が弾心受容体５１内に挿入され、図５（Ｂ）に示されるように、弾心１１が弾心受容体５１に受容される。このとき、弾心頭部１３が尖り部５３の内面に当接し、弾心尾部１４が弾心受容体５１の開口端（直筒部５２の他端）よりも挿入方向の前側に配置される。
【００２８】
次いで、図５（Ｂ）の矢印で示されるように、直筒部５２の他端部がかしめられて、直筒部５２から被甲尾部２４と被甲ストレート部２２が形成される。また、尖り部５３から被甲頭部２３が形成される。以上により、図１に示した弾丸１０が完成する。
【００２９】
次に、本実施形態の弾丸１０の作用効果について説明する。本実施形態の弾丸１０では、被甲２１に形成された全ての最大外径筒部３１（被甲ストレート部２２）が、弾丸１０の軸方向の全域に亘って弾心１１との間に環状の隙間３２を有しているので、最大外径筒部３１が弾丸１０の軸方向の全域に亘って、弾丸１０の中心軸Ｊ１側に変形することが可能となる。これにより、弾丸１０が銃身７０を通過するときに受ける抵抗を小さくすることが可能となる。
【００３０】
また、本実施形態の弾丸１０では、被甲頭部２３が弾心頭部１３と嵌合し、被甲尾部２４が弾心尾部１４と嵌合することで、被甲２１が弾心１１を保持するので、弾心１１の固定の安定化を図ることが可能となる。
【００３１】
［第２実施形態］
以下、本発明の第２実施形態を図面に基づいて説明する。図６に示されるように、本実施形態の小火器用弾丸１０Ｖ（以下、単に「弾丸１０Ｖ」という。）は、上記第１実施形態の弾丸１０を変形したものであり、被甲１２１の構成が上記第１実施形態の被甲２１と異なっている。なお、弾丸１０Ｖは、上記第１実施形態の弾丸１０と同じ弾心１１を備えている。
【００３２】
被甲１２１は、被甲ストレート部１２２と、被甲頭部１２３と、被甲尾部１２４と、からなる。被甲ストレート部１２２は、弾丸１０Ｖの中心軸Ｊ１に沿って延びる直筒状をなし、周方向全体に亘って弾心１１側に陥没してなる括れ部１２５を有している。そして、括れ部１２５によって被甲ストレート部１２２の外周面に環状溝１２６が形成されている。被甲頭部１２３と被甲尾部１２４は、上記第１実施形態の被甲２１の被甲頭部２３と被甲尾部２４と同様の構成をなしている。
【００３３】
図６に示されるように、被甲１２１の環状溝１２６は、薬莢４２と係合する。具体的には、薬莢４２における前端筒部４２Ａの開口端が内側に折れ曲がった状態になっていて、前端筒部４２Ａの折れ曲がり部分が環状溝１２６と凹凸係合する。
【００３４】
弾丸１０Ｖにおいては、上記第１実施形態と同様に、被甲頭部１２３と弾心頭部１３が嵌合し、被甲尾部１２４と弾心尾部１４が嵌合する。また、弾丸１０Ｖでは、被甲ストレート部１２２の括れ部１２５が弾心ストレート部１２と嵌合する。即ち、弾丸１０Ｖでは、弾心１１が、弾心ストレート部１２、弾心頭部１３及び弾心尾部１４の３箇所で被甲１２１に保持されている。
【００３５】
上述の如く、被甲ストレート部１２２の括れ部１２５は弾心１１と嵌合するので、被甲ストレート部１２２のうち括れ部１２５より前側に位置する部分と後側に位置する部分のそれぞれが、弾丸１０Ｖにおいて外径が最大となる部位を構成する最大外径筒部３１となっている。なお、各最大外径筒部３１は、弾丸１０Ｖの軸方向全域に亘って、弾心ストレート部１２との間に環状の隙間３２を有している。
【００３６】
弾丸１０Ｖは、以下のようにして製造される。弾丸１０Ｖが製造されるには、まず、図７（Ａ）に示されるように、弾心１１と、被甲１２１を形成するための弾心受容体１５１とが準備される。弾心受容体１５１は、上記第１実施形態の弾心受容体５１を変形した構造になっていて、直筒部５２に括れ部１２５が形成されている点が弾心受容体５１と異なっている。
【００３７】
上記第１実施形態と同様にして、弾心１１が弾心受容体１５１内に挿入され（図７（Ａ））、弾心１１が弾心受容体１５１に受容される（図７（Ｂ））。次いで、図７（Ｂ）の矢印で示されるように、直筒部５２の他端部がかしめられて、直筒部５２から被甲尾部１２４と被甲ストレート部１２２が形成される。また、弾心受容体１５１の尖り部５３から被甲頭部１２３が形成される。以上により、図１に示した弾丸１０Ｖが完成する。
【００３８】
なお、弾丸１０Ｖの別の製造方法として、弾心受容体１５１の代わりに前記第１実施形態の弾心受容体５１を用い、弾心受容体５１に弾心１１を挿入した後に、弾心受容体５１に括れ部１２５を形成してもよい。
【００３９】
次に、弾丸１０Ｖの作用効果について説明する。弾丸１０Ｖでは、上記第１実施形態と同様に、最大外径筒部３１が弾丸１０の軸方向の全域に亘って弾丸１０の中心軸Ｊ１側に変形することが可能となる。これにより、弾丸１０が銃身７０を通過するときに受ける抵抗を小さくすることが可能となる。また、弾丸１０Ｖでは、被甲頭部１２３と被甲尾部１２４と括れ部１２５の３箇所で弾心１１が保持されるので、弾心１１の固定の安定化が図られる。
【００４０】
［第３実施形態］
以下、本発明の第３実施形態を図面に基づいて説明する。図８に示されるように、本実施形態の小火器用弾丸１０Ｗ（以下、単に「弾丸１０Ｗ」という。）は、上記第２実施形態の弾丸１０Ｖを変形したものであり、弾心１１１の構成が上記第２実施形態の弾心１１と異なっている。弾丸１０Ｗは、上記第２実施形態の弾丸１０Ｖと同じ被甲１２１を有している。
【００４１】
弾心１１１は、第１弾心構成体１１１Ａと、第１弾心構成体１１１Ａとは異なる部材で構成された第２弾心構成体１１１Ｂの２つの弾心構成体からなる。第１弾心構成体１１１Ａと第２弾心構成体１１１Ｂは、前後に並べて配置される。第１弾心構成体１１１Ａは、弾心ストレート部１１２の一部と弾心頭部１１３を構成し、第２弾心構成体１１１Ｂは、弾心ストレート部１１２の残り部分と弾心尾部１１４を構成する。図８の例では、第１弾心構成体１１１Ａが前側に配置されている。なお、第１弾心構成体１１１Ａ及び第２弾心構成体１１１Ｂは、同じ材料で構成されてもよいし、異なる材料で構成されてもよい。
【００４２】
本実施形態では、括れ部１２５が第２弾心構成体１１１Ｂと嵌合する。ここで、第２弾心構成体１１１Ｂの軸長は、第１弾心構成体１１１Ａの軸長よりも長くなっていて、括れ部１２５は、第２弾心構成体１１１Ｂの前端部に嵌合する。このように、本実施形態では、第１弾心構成体１１１Ａと第２弾心構成体１１１Ｂのうち軸長が長い方の弾心構成体が２箇所で被甲１２２に保持されるので、弾心１１１の固定の安定化が図られる。しかも、第２弾心構成体１１１Ｂは、両端部で被甲１２２に保持されるので、第２弾心構成体１１１Ｂが安定的に保持される。
【００４３】
本実施形態の弾丸１０Ｗは、上記第２実施形態の弾丸１０Ｖと同様にして製造される。なお、その際、括れ部１２５を有する弾心受容体１５１を用いることが好ましい。
【００４４】
本実施形態の弾丸１０Ｗによれば、上記第２実施形態と同様の効果を奏することが可能となる。また、弾丸１０Ｗでは、弾心１１１が第１弾心構成体１１１Ａと第２弾心構成体１１１Ｂの２つの弾心構成体で構成されていることから、弾心１１１の固定が不安定になるところ、被甲頭部１２３と被甲尾部１２４と括れ部１２５の３箇所で弾心１１１が保持されるので、弾心１１１の固定の安定化が図られている。
【００４５】
［他の実施形態］
本発明は、上記実施形態に限定されるものではなく、例えば、以下に説明するような実施形態も本発明の技術的範囲に含まれ、さらに、下記以外にも要旨を逸脱しない範囲内で種々変更して実施することができる。
【００４６】
（１）上記第１実施形態において、図９に示されるように、被甲２１の外周面に環状溝１２６が形成されていてもよい。この場合、被甲２１のうち環状溝１２６の非形成部分に最大外径筒部３１が形成される。図９の例では、被甲２１のうち環状溝１２６に対して弾頭１０Ａ側に配される部分と弾尾１０Ｂ側に配される部分のそれぞれが最大外径筒部３１を構成する。
【００４７】
（２）上記第３実施形態において、図１０（Ａ）に示されるように、括れ部１２５が第１弾心構成体１１１Ａと嵌合してもよいし、図１０（Ｂ）に示されるように、第１弾心構成体１１１Ａと第２弾心構成体１１１Ｂの両方と嵌合してもよい。
【００４８】
（３）上記第３実施形態において、図１１に示されるように、第１弾心構成体１１１Ａの後端面に突部１１１Ｔを形成するとともに、第２弾心構成体１１１Ｂの前端面に突部１１１Ｔと係合する凹部１１１Ｈを形成してもよい。そして、第１弾心構成体１１１Ａの突部１１１Ｔと第２弾心構成体１１１Ｂの凹部とを係合させて位置決めしてもよい。なお、第１弾心構成体１１１Ａの後端面に凹部、第２弾心構成体１１１Ｂの前端面に突部を形成してもよい。
【００４９】
（４）図１２に示される小火器用弾丸１０Ｘのように、被甲２１Ｘの被甲ストレート部２２Ｘと被甲尾部２４Ｘとの間に、被甲尾部２４Ｘ側で段付き状に縮径される段差部２１Ｄが形成された構成であってもよい。この場合、弾心１１Ｘは、弾心ストレート部１２Ｘと弾心頭部１３Ｘのみで構成され、上記実施形態で示したような後側で縮径される円錐台形状の弾心尾部１４，１１４を有しない。そして、被甲尾部２４Ｘは、弾心ストレート部１２Ｘの後端部と嵌合し、弾心ストレート部１２Ｘの非嵌合部分より前側に配された部分と被甲ストレート部２２Ｘとの間に環状の隙間３２が形成されている。
【符号の説明】
【００５０】
１０，１０Ｖ，１０Ｗ，１０Ｘ    小火器用弾丸
１１，１１Ｘ，１１１    弾心
１２，１２Ｘ，１１２    弾心ストレート部
１３，１３Ｘ，１１３    弾心頭部
１４，１４Ｘ，１１４    弾心尾部
２１，２１Ｘ，１２１    被甲
２２，２２Ｘ，１２２    被甲ストレート部
２３，２３Ｘ，１２３    被甲頭部
２４，２４Ｘ，１２４    被甲尾部
３１    最大外径筒部
３２〜３４    隙間
１２５    括れ部
【図１】
2018123985.tif 000003
【図２】
2018123985.tif 000004
【図３】
2018123985.tif 000005
【図４】
2018123985.tif 000006
【図５】
2018123985.tif 000007
【図６】
2018123985.tif 000008
【図７】
2018123985.tif 000009
【図８】
2018123985.tif 000010
【図９】
2018123985.tif 000011
【図１０】
2018123985.tif 000012
【図１１】
2018123985.tif 000013
【図１２】
2018123985.tif 000014